(57)【要約】【課題】ステータの熱を出力効率を低下させること無く効果的に放熱する。【解決手段】アウターロータ型ブラシレスモータ１は、アウターロータ２と、ステータ３と、アウターロータ２が固定される回転軸６の一端側を軸支すると共に、ステータ３を支持するブラケット４と、回転軸６の他端側を軸支して、アウターロータ３の外周を囲むケース５とを備え、ブラケット４は、ステータ３を支持する金属製のステータ支持部４０と、ケース５の端部を支持する樹脂製のケース支持部４１を備える。【選択図】図１
2017163644.tif 000002
【特許請求の範囲】
【請求項１】
アウターロータと、
ステータと、
前記アウターロータが固定される回転軸の一端側を軸支すると共に、前記ステータを支持するブラケットと、
前記回転軸の他端側を軸支して、前記アウターロータの外周を囲むケースとを備え、
前記ブラケットは、前記ステータを支持する金属製のステータ支持部と、前記ケースの端部を支持する樹脂製のケース支持部を備えることを特徴とするアウターロータ型ブラシレスモータ。
【請求項２】
前記ステータ支持部は、前記ブラケットの中心部から放射状に延設して前記ケースに接合される延設部分を備えることを特徴とする請求項１記載のアウターロータ型ブラシレスモータ。
【請求項３】
前記ケース支持部は、前記ケースに当接して前記ブラケットの中心と前記ケースの中心とを芯出しする突起部分を有することを特徴とする請求項１又は２記載のアウターロータ型ブラシレスモータ。
【発明の詳細な説明】
【技術分野】
【０００１】
本発明は、アウターロータ型ブラシレスモータに関するものである。
【背景技術】
【０００２】
アウターロータ型ブラシレスモータは、カップ状のロータ部材の内面に複数の永久磁石を固定したアウターロータと、このアウターロータの永久磁石に対向する複数の磁極部を有するステータと、回転軸の一端側を軸支するブラケットと、回転軸の他端側を軸支してアウターロータの外周を囲むケースとを備えており、ブラケットとケースの中心に軸支された回転軸にロータ部材が固定され、回転軸の周囲に突出したブラケットの一部がステータを支持している。
【０００３】
ステータは、ステータコア（ステータ鉄芯）と、このステータコアに巻かれたコイルを備えており、分割コアを環状に並べて複数の磁極部を形成している。このステータは、一般に、樹脂モールドによって、樹脂製のブラケットに固定されている（下記特許文献１参照）。
【先行技術文献】
【特許文献】
【０００４】
【特許文献１】特開２０１４−２７８２７号公報
【発明の概要】
【発明が解決しようとする課題】
【０００５】
このようなアウターロータ型ブラシスモータは、回転軸から離れた位置に慣性の大きい永久磁石を配置して回転させることができるので、比較的大きなトルクを得ることができる。しかしながら、静止しているステータに巻かれたコイルが熱源となるので、モータが加熱されやすい問題がある。特に従来は、ステータを樹脂製のブラケットで固定しているので、放熱性が悪く、熱による永久磁石の減磁などによって耐久性が低下する問題があった。
【０００６】
これに対しては、ブラケットを金属製にすることで、放熱性を改善することが考えられるが、ブラケットを金属製にすると、動作時の渦電流による鉄損で出力効率が低下する問題があり、また、ブラケットとケースで軸支される回転軸の芯出しを金属加工によって行うことになるので、芯出しの調整作業が困難になる問題がある。
【０００７】
本発明は、このような問題に対処することを課題とするものであり、ステータの熱を出力効率を低下させること無く効果的に放熱すること、回転軸の芯出し調整を容易に行えるようにすること、などが本発明の課題である。
【課題を解決するための手段】
【０００８】
このような課題を解決するために、本発明によるアウターロータ型ブラシレスモータは、以下の構成を具備するものである。
【０００９】
アウターロータと、ステータと、前記アウターロータが固定される回転軸の一端側を軸支すると共に、前記ステータを支持するブラケットと、前記回転軸の他端側を軸支して、前記アウターロータの外周を囲むケースとを備え、前記ブラケットは、前記ステータを支持する金属製のステータ支持部と、前記ケースの端部を支持する樹脂製のケース支持部を備えることを特徴とするアウターロータ型ブラシレスモータ。
【発明の効果】
【００１０】
このような特徴を有するアウターロータ型ブラシレスモータによると、ステータの熱を出力効率を低下させること無く効果的に放熱することができる。また、回転軸の芯出し調整を容易に行うことができる。
【図面の簡単な説明】
【００１１】
【図１】本発明の実施形態に係るアウターロータ型ブラシレスモータの全体構成を示した断面図である。
【図２】本発明の実施形態に係るアウターロータ型ブラシレスモータにおけるブラケットを示す平面図である（（ａ）がブラケット全体を示し、（ｂ）が突起部分の拡大図を示す。）。
【図３】本発明の実施形態に係るアウターロータ型ブラシレスモータの底面図である。
【発明を実施するための形態】
【００１２】
以下、図面を参照して本発明の実施形態を説明する。図１に示すように、本発明の実施形態に係るアウターロータ型ブラシレスモータ１（以下、モータ１という）は、アウターロータ２と、ステータ３と、ブラケット４と、ケース５と、回転軸６を備えている。
【００１３】
アウターロータ２は、カップ状のロータ部材（例えば、ロータヨーク）２０を備え、その内面に複数の永久磁石２１が固定されている。アウターロータ２は、固定部１２を介して回転軸６に固定されている。
【００１４】
ステータ３は、アウターロータ２の複数の永久磁石２１に対向する複数の磁極部を有しており、この磁極部を形成するために、ステータコア３０と、このステータコア３０に巻かれたコイル３１を備えている。
【００１５】
回転軸６は、その一端側が軸受１０を介してブラケット４に軸支されており、その他端が軸受１１を介してケース５に軸支されている。ブラケット４は、その外周の中心部に軸受１０を支持しており、軸受１０の中心とブラケット４の中心は同軸になっている。ケース５は、その外周の中心部に軸受１１を支持しており、軸受１１の中心とケース５の中心は同軸になっている。
【００１６】
図１に示すように、ブラケット４は、回転軸６の周りに延設されて、軸受１０を支持すると共に、ステータ３の内部に入り込んでステータ３を支持するステータ支持部４０と、ケース５の端部を支持するケース支持部４１を備えている。
【００１７】
ステータ支持部４０は、熱伝導性の高い金属性であり、ステータ３の内部に接触する部分で、ステータ３で発生する熱を奪い、モータ１の底面側に露出する部分で奪った熱を放熱する。ケース支持部４１は、樹脂製であり、例えば、図１に示すように、ケース５の内面を支持する外周面を備えており、ブラケット４の中心から等距離に成形された外周面で、ケース５の内面を支持している。
【００１８】
このようなモータ１によると、ブラケット４が金属製のステータ支持部４０と樹脂製のケース支持部４１を備えることで、ステータ支持部４０でステータの熱を効果的に放熱しながら、樹脂製のケース支持部４１によって渦電流の発生を抑止して鉄損を抑えることができる。これにより、ステータ３の熱を出力効率を低下させること無く効果的に放熱することができる。そして、ケース支持部４１が樹脂製であるから、ケース５の支持面のセンターを樹脂成形によって簡易且つ精度良く回転軸６の中心に合わせることができる。これによって、ブラケット４とケース５の中心を合わせる回転軸６の芯出し調整を簡易に行うことができる。このような金属製のステータ支持部４０と樹脂製のケース支持部４１を備えるブラケット４は、インサート成形などによって形成することができる。
【００１９】
図２は、より具体的なブラケット４の構成例を示している。この例では、ブラケット４のステータ支持部４０は、軸受１０を支持する中心部４０Ａと、この中心部４０Ａから放射状に延設される延設部４０Ｂを備えており、放射状の延設部４０Ｂの間に扇状のケース支持部４１が設けられている。
【００２０】
このようなブラケット４によると、放射状に延設された金属製のステータ支持部４０によって、効果的にステータ４の熱を放熱することができる。また、ケース５を金属製にして、延設部４０Ｂの先端部分をケース５に接合することで、ステータ４の熱をステータ支持部４０を介して放熱面積の広い金属製のケース５に伝導させることができるので、更に高い放熱効果を得ることができる。
【００２１】
延設部４０Ｂの間に設けたケース支持部４１には、その外周面の少なくとも３箇所にケース５に当接する突起部分４１Ａを設けている。このような突起部分４１Ａを設けることで、ケース５の端部を適宜の力でカシメ圧接して、突起部分４１Ａを潰しながら、ブラケット４の中心とケース５の中心を合わせる芯出し調整を行うことができる。これによって、簡易且つ精度の高い芯出し調整が可能になる。
【００２２】
図３は、ブラケット４をケース５の端部に接合した状態を示している。前述した芯出し調整を行うことで、ブラケット４の中心とケース５の中心が一致することになり、それぞれの中心で軸支されている回転軸６を傾斜無く支持することができる。芯出し調整の後には、延設部分４０Ｂの外周端部とケース５の内面を溶接等の接合手段で接合して固定する。
【００２３】
以上説明したように、本発明の実施形態に係るアウターロータ型ブラシレスモータ１は、ブラケット４を金属製のステータ支持部４０と樹脂製のケース支持部で構成することにより、ステータ４の熱を出力効率を低下させること無く効果的に放熱することができ、また、回転軸６の芯出し調整を容易に行うことができる。
【００２４】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００２５】
１：アウターロータ型ブラシレスモータ（モータ），
２：アウターロータ，２０：ロータ部材，２１：永久磁石，
３：ステータ，３０：ステータコア，３１：コイル，
４：ブラケット，４０：ステータ支持部，４１：ケース支持部，
４０Ａ：中心部分，４０Ｂ：延設部分，４１Ａ：突起部分，
５：ケース，６：回転軸，
１０，１１：軸受，１２：固定部
【図１】
2017163644.tif 000003
【図２】
2017163644.tif 000004
【図３】
2017163644.tif 000005